(57)【要約】      （修正有）【課題】簡単に取り付け、取り外しが可能なペットボトル吊り下げ紐を提供する。【解決手段】ペットボトルネック部分の溝に収まる太さの非伸縮性繊維製紐を管状の紐交差部固定用部品の管内部で交差させてある紐であって、その両端を結束すれば８の字型紐ループで構成される紐となり、繋ぎ部の無いループ側でペットボトルネック部分を固定し、繋ぎ部のあるループ側をボトル固定操作紐及び吊り手として使用出来る。【選択図】図１
0003176026.tif 000002
【実用新案登録請求の範囲】
【請求項１】
ペットボトルネック部分の溝に収まる太さの非伸縮性繊維製紐を管状の紐交差部固定用部品の管内部で交差させてある紐であって、その両端を結束すれば８の字型紐ループで構成される紐となり、繋ぎ部の無いループ側でペットボトルネック部分を固定し、繋ぎ部のあるループ側をボトル固定操作紐及び吊り手として使用出来る、取り付け取り外し可能なペットボトル吊り下げ紐。
【請求項２】
請求範囲１に規定する非伸縮性繊維製紐の材質及び太さに対応して、外径４ｍｍ〜７ｍｍ、長さ１ｃｍ〜４ｃｍから選ばれる外径と長さを持つゴム管あって、繋ぎ部のあるループ側交差部の紐を左右に強く引けば繋ぎ部の無いループ側がボトルネック回りに締まり込み紐交差部分を固定出来る程度に当該紐交差部分を緊締する性能を有し、その両側にそれぞれ長さ５ｍｍ程度の同じゴム管が組み合わされていることを特徴とする、請求範囲１の紐交差部固定用部品。
【考案の詳細な説明】
【技術分野】
【０００１】ペットボトル吊り下げ紐
【背景技術】
【０００２】ペットボトルは飲料水から顆粒状固形物質まであらゆる分野に便利な瓶状容器として利用が広がり、使用方法も室内等における設置使用から携帯移動使用まであらゆる方法で日常使用されている。しかしながらペットボトル本体は倒れたり転がり易く持ち歩く場合には専用の袋を使うか、手提袋カバン或いはリュック等に入れて持ち歩く方法が一般的である。ペットボトルには口ネジ部一体成形で蓋固定用にネック部分から張り出した肉厚肩が付いている。この肩部分の張り出しを利用すれば紐類でのボトル吊り下げが可能であり、事実ボトル吊り下げ用の特殊なプラスチック部品（図３．市販品写真）等は市販されているがあまり使用されていない。この肩部分を利用する簡単に取り付け取り外しの出来る吊り下げ紐があれば取り扱いが非常に便利になる。
【考案が解決しようとする課題】
【０００３】飲料水等の容器として持ち歩くペットボトルは簡単に吊り下げることが出来ず不便である。このボトルに吊り下げ紐を簡単に取り付けが出来れば、例えば、手に下げての持ち歩き、リュックカバン等の外側への吊り下げ、或いは家庭内その他での吊り下げ整理など、ボトルの転がり倒れの心配も無く日常の取り扱いが格段に向上する。一方容器として使われるペットボトルは水筒類のように恒久使用される物でなく、通常ジュース飲料水等飲み終われば容器は破棄される一過性使用使い捨て容器である。従って吊り下げ紐は簡単に取り外しが出来て且つ紐自体は小さく携帯に便利で繰り返し使用が出来ることが求められる。
【課題を解決するための手段】
【０００４】本考案の課題解決手段は、図１．Ａに示す一本の非伸縮性繊維製紐をゴム管の内部で交差させて紐の両端を結束してある８の字型の紐ループで構成されるペットボトル吊り下げ紐である。本吊り下げ紐の繋ぎ目の無いループ側はボトル緊締固定用ループ（以下、固定用ループと称す）であり、繋ぎ目のある側のループは固定用ループ引き締め用及びボトル吊り下げ用として使用する（以下、吊り下げ用ループと称す）。固定用ループ側に取り付けた細紐はボトル緊締固定の開放に使用すると共にボトル３点吊り下げ用にも使用する（図２．Ｃ）。
【０００５】［吊り下げ紐の特性］
汎用ペットボトルのキャップは２リッター用迄通常は同じ規格で成形されている。ボトルのネック部とキャップ止め受肩部との間（平均．３．５ｍｍ）が吊り下げ紐の有効固定巾となる。固形部品である紐交差部固定用ゴム管の半径はこのボトルのネック回り有効固定巾で制限されゴム管の外径は７ｍｍ以内が必要となる。非伸縮性繊維紐は材質製法によって多種多様であるが引き締めれば前記ボトルネック回りの有効固定巾内に収まり、対応するゴム管内部で交差出来て当該紐を両側から強く引けば固定用ループを閉じる程度にゴム管内で緊締固定されることを基準に選択されるものである。
【０００６】［紐交差部固定用ゴム管の構造と特性］
ペットボトル吊り下げ紐を緊締固定するゴム管有効固定部（図１．Ｂ４イ）の長さは１ｃｍ以上の長さが必要である。使用するゴム管の材質及び硬さによっても多少の差はあるが１ｃｍ以下の管長では紐交差部緊締に緩みが生じ易く吊り下げた場合紐固定が外れる場合がある。通常は１ｃｍ以上４ｃｍ以内が推奨される。５ｃｍ以上であっても使用は可能であるが、ボトル固定を開放するときに大きな力が必要になる場合がある。ゴム管保護部（図１．Ｂ４ロ）はボトルを吊り下げるときボトル重量によるゴム管両端の伸びを吸収して有効固定部緊締力を保護するものである。
【０００７】［吊り下げ紐実用の形態］
本案のペットボトル吊り下げ紐の使用実施例を（図２．Ｃ）に示す。ペットボトルへの吊り下げ紐装着方法は、開いた固定用ループ（図１．２）をボトルの肩部分に被せ置いて、吊り下げ用ループ（図１．３）交差部両側の紐を左右に引き締めて固定用ループをボトルネック部分に密着させることで完了する。吊り下げ紐装着後、吊り下げ用ループは固定したペットボトルの携帯用吊り下げ紐として使用する。ボトルから吊り下げ紐を取り外す時には固定用ループ側に取り付けてあるボトル開放紐（図１．５）を引けば固定用ループが弛緩するので簡単に取り外せる。ボトルネック回り拡大図（図２．Ｄ）よりゴム管保護部分（図１．Ｂ４ロ）の交差部固定ゴム管（図１．Ｂ４イ）保護状況が良く判る。
【０００８】［考案の産業上の優位性］
本案吊り下げ紐はペットボトル吊り下げ用であるがボトル以外の物体の吊り下げ用にも簡単に転用出来るものであり、使用方法が広く且つ携帯に便利である。
【図面の簡単な説明】
【０００９】
【図１】Ａ：ペットボトル吊り下げ紐  Ｂ：紐交差部固定部品ゴム管部の詳細図
【図２】Ｃ：ペットボトルへの吊り下げ紐装着図  Ｄ：ボトルのネック回り拡大図
【図３】既存品参考図：ペットボトル吊り下げ用プラスチック成型市販品。
【符号の説明】
【００１０】本符号は図１．図２．共通である
１．  ペットボトル本体
２．  ペットボトル固定用紐ループ
３．  固定用紐ループ引き締め用及びボトル吊り下げ用の紐ループ
４．  紐交差部固定部用ゴム管
４イ：  交差部固定ゴム管
４ロ：  交差部固定ゴム管の保護ゴム管
５．  ボトル固定開放用及び３点吊り下げ用の紐
６．  肩からの吊り下げ等、３点吊り下げ延長用紐類
【図１】
0003176026.tif 000003
【図２】
0003176026.tif 000004
【図３】
0003176026.tif 000005
【手続補正書】
【提出日】平成24年1月11日(2012.1.11)
【手続補正１】
【補正対象書類名】実用新案登録請求の範囲
【補正対象項目名】請求項２
【補正方法】変更
【補正の内容】
【請求項２】
前記非伸縮性繊維製紐の材質及び太さに対応して、外径４ｍｍ〜７ｍｍ、長さ１ｃｍ〜４ｃｍから選ばれる外径と長さを持つゴム管あって、繋ぎ部のあるループ側交差部の紐を左右に強く引けば繋ぎ部の無いループ側がボトルネック回りに締まり込み紐交差部分を固定出来る程度に当該紐交差部分を緊締する性能を有し、その両側にそれぞれ長さ５ｍｍ程度の同じゴム管が組み合わされていることを特徴とする、請求項１の紐交差部固定用部品。
【手続補正書】
【提出日】平成24年3月6日(2012.3.6)
【手続補正１】
【補正対象書類名】実用新案登録請求の範囲
【補正対象項目名】請求項２
【補正方法】変更
【補正の内容】
【請求項２】
前記非伸縮性繊維製紐の材質及び太さに対応して、外径４ｍｍ〜７ｍｍ、長さ１ｃｍ〜４ｃｍから選ばれる外径と長さを持つゴム管あって、繋ぎ部のあるループ側交差部の紐を左右に強く引けば繋ぎ部の無いループ側がボトルネック回りに締まり込み紐交差部分を固定出来る程度に当該紐交差部分を緊締する性能を有し、その両側にそれぞれ長さ５ｍｍ程度の同じゴム管が組み合わされていることを特徴とする、請求項１に記載のペットボトル吊り下げ紐。